(57)【特許請求の範囲】
【請求項１】
リードを固定するリード固定部と、
前記リード固定部に振動を付与する駆動部と、を備えることを特徴とする
振動付与装置。
【請求項２】
請求項１記載の振動付与装置において、
前記駆動部は、圧電体であることを特徴とする
振動付与装置。
【請求項３】
請求項２記載の振動付与装置において、
前記リードが互いに向き合わせた２枚のケーンを有するダブルリードの場合、前記リードは、前記２枚のケーン内側に前記リード固定部が差込まれて固定されることを特徴とする
振動付与装置。
【請求項４】
請求項２記載の振動付与装置において、
前記リードが１枚のケーンを有するシングルリードの場合、前記リード固定部は、前記ケーンのマウスピース接触面又は奏者の下唇接触面を前記リード固定部に固定する固定部を備えることを特徴とする
振動付与装置。
【請求項５】
請求項３又は４記載の振動付与装置において、
前記駆動部の駆動時間を制御するタイマを備えることを特徴とする
振動付与装置。
【請求項６】
請求項３乃至５のいずれか１項に記載の振動付与装置において、
前記リード固定部の形状は、舟形、半舟形、多角形、楕円形又は扇形のうち、いずれか１つを選択した形状又は複数の形状が組み合わせて形成され、前記リードの形状に合わせて、前記リード固定部が異なる形状又は材質で形成されることを特徴とする
振動付与装置。
【請求項７】
請求項５又は６記載の振動付与装置において、
前記駆動部の駆動振動数の増減を制御する制御部を備えることを特徴とする
振動付与装置。
【請求項８】
請求項１記載の振動付与装置において、
前記駆動部は、所定の周期で回転する回転軸と、
前記回転軸に取り付けられた偏心おもりと、を備えることを特徴とする
振動付与装置。
【請求項９】
リード固定部にリードを固定し、
前記リード固定部に振動を付与することを特徴とする
振動付与方法。
【発明の詳細な説明】
【技術分野】
【０００１】
本発明は、例えば、オーボエやクラリネット等の管楽器に用いられるリードの吹奏感を調整する場合に適用して好適な振動付与装置及び方法に関する。
【背景技術】
【０００２】
従来、オーボエ、クラリネット等の管楽器は、吹奏楽団、オーケストラ等で広く用いられる。音を構成する要素としては、音程、音量、音色の「音の３大要素」が一般的に知られる。楽器は、種類毎に異なる音色を奏でることができ、様々に楽器を組合せることによっても音色に変化を持たせることが可能である。
また、同じ種類の楽器であっても、奏者によって異なる音色が奏でられる。さらに、奏者の技術が向上するにつれて、音色の変化を楽しむことができる。このため、プロ奏者のみならず、アマチュア奏者にも、楽器の演奏は趣味として広く親しまれている。
【０００３】
ここで、管楽器の発音体について説明する。管楽器の発音体は、シングルリード、ダブルリード、エアリード、リップリードに分けられる。
管楽器には、１枚のリード（シングルリード）をマウスピースに固定し、このシングルリードを発音体として用いるクラリネット、サックス等のシングルリード楽器と、２枚のリードを重ね合わせたダブルリードを発音体として用いるオーボエ、ファゴット等のダブルリード楽器がある。
エアリードは、空気の束を吹き込むことで音を発生する発音体である。エアリードを発音体として用いる楽器には、フルート、ピッコロ等がある。
シングルリード、ダブルリード、エアリードを発音体として用いる楽器は、木管楽器と総称される。
一方、リップリードは、奏者の唇をマウスピースに接触振動させて音を発生する発音体である。リップリードを発音体として用いる楽器には、トランペット、トロンボーン等があり、これらの楽器は、金管楽器と総称される。
【０００４】
ここで、シングルリード又はダブルリード（以下、単にリードとも称する。）を発音体に用いる木管楽器に注目する。
リードは、天然の葦（アシ：reed）を材料としており、適当な大きさに加工されて楽器の上管に位置する差込口に取り付けられる。
リード自体の大きさは、数ｃｍ程度である。管楽器の吹き口にこのリードを取り付け吹奏されることで、発生するリードの振動が管楽器内で共鳴、増幅されることによって、楽器音が発せられる。
【０００５】
リードを用いた管楽器の発音原理は、以下のように説明できる。
ダブルリード楽器の場合、向かい合わせた互いのリードが、吹奏による口腔内と管内の気圧差により開閉運動を生じることにより音を発振する。
シングルリード楽器の場合も同様であり、リードがマウスピースに対して開閉運動を生じて音を発振する。
このとき発振する振動数が、例えば４４０Ｈｚである場合、Ａ（ラ）音が発せられる。
【０００６】
そして、息を入れて演奏するリード楽器の場合、楽器やリードの状態によって、奏者は、息が詰まったり、息が入り過ぎたりする感覚が生じる。このような感覚を「吹奏感」と呼ぶ。吹奏感は奏者の主観的感覚によって決まる。一般に息が詰まる感覚を「重い吹奏感」、息が入りやすい感覚を「軽い吹奏感」と表現している。
このため、同一の、または同形状のリードであっても、少ない労力で効率よく発振するならば、奏者は「吹奏感が軽い」と感じる。一般的に、「吹奏感が軽くなった」場合、奏者は体力的負担が軽減することにより、安定した演奏が実現しやすくなるため「吹奏感が改善された」と感じる。
【０００７】
ところで、製作されたばかりの新しいリードは、吹奏されていないので葦の繊維同士が強い結合力で密着した状態にあり、強い弾性力を保っている。葦の繊維は吹奏による振動に慣れていないため、吹き口に取り付けて息を吹き込んでも思うように制御できず、振動しにくい。このようなリードの状態を、「硬い」状態と称する。硬い状態のリードは「重い吹奏感」の性質を併せ持っている。
【０００８】
従来、奏者は新しいリードを用いようとする場合、好みに適した吹奏感を得るために１日に数時間ずつ何日間かかけて吹き込むための時間と労力を費やさなければならなかった。この手順の繰り返しにより、密着した繊維状態の新しいリードであっても、吹奏によって発生するリードの振動により、繊維同士の結合力が弛緩することで、リードの持つ弾性力が徐々に適度に低下してゆく。この結果、リードが、吹奏感の軽い状態へと徐々に変化する。このような状態を「柔らかい」状態と称する。柔らかい状態のリードは「軽い吹奏感」の性質を併せ持っている。
【０００９】
特許文献１には、繊維補強した合成物質によって構成される吹奏楽器用リードについての記載がある。
【特許文献１】特表平８−５０４０３９号公報
【発明の開示】
【発明が解決しようとする課題】
【００１０】
ところで、奏者が新しいリードをすぐに練習や本番等の演奏に使いたいという要望があっても、上述した理由により、リードが「柔らかい」状態になるまで長い時間を要する。新しいリードは制御が難しく、安定した演奏効果が得にくいため、奏者の即時的な要求に応えることが困難であった。
【００１１】
また、リードは天然の素材で形成されるため、吹奏に耐えられる期間は永久的ではない。好みに適した状態になったリードを、何時間又は何日間も継続して用いると、やがてリードは振動しなくなる。リードが再び振動しなくなる要因としては、奏者の唾液等の粘性物で、繊維同士が再び接着したり、リードの弾性力が必要以上に低下し、音の発振に充分な開閉運動が生じない事が挙げられる。この現象を「リードの劣化」という。リードを洗浄すると、付着した粘性物を取り除くことは可能であるが、完全に粘性物を取り除くことは困難であり、洗浄によって弾性力を復元させることは不可能である。
【００１２】
ここで、「リードの劣化」について説明する。物体に振動を加えると、その物体には疲労が発生する。金属疲労がその類である。
リードは、天然の植物（葦）を素材とする。植物は、茎の伸長方向に沿って繊維が発達しており、繊維同士は分散しないよう互いに接着している。
【００１３】
リードに振動を加えると、繊維同士の接着力が低下する。接着力が低下する事で、リードの開閉運動に必要なリード自体の弾性力も低下する。ここで、リードの貯蔵中や使用中に物理的あるいは化学的変化により性質が低下したり、脆くなったりすることを「劣化」と称する。
【００１４】
リードが著しく劣化すると、劣化に伴って弾性力も低下し、口腔内の気圧に対する反発力の減衰を生じることで開方向の運動が鈍化する。このため、息の流量が減少し、リードで放音できる音量が減少する。また、リードの先端部は、閉じた状態が長く続くことで、奏者は息が詰まったような吹奏感を感じる。さらに、リードの先端部は弾性力の低下によって緩慢な開方向運動で発音する結果、音色の要素である倍音が減少し、音色変化が発生する。このように変化した音色は、一般に「倍音の少ない“こもった”音色」と表現される。
【００１５】
吹奏感の善し悪しは、個々の奏者が主観で決定する要素である。このため、定量的な数値（例えば吹奏時の圧力を計測する等）で吹奏感は表示できるが、万人に適した吹奏感を定めることはできない。一般的に新しいリードは弾性力が強く、劣化とともに徐々に弾性力が低下するに従って、個々の奏者の好みに適した吹奏感のリードが暫定的に得られる。しかし、リードの劣化がさらに進むと、吹奏感の変化も進み、好みに適した吹奏感は得られなくなる。
【００１６】
リードが振動しなくなると、奏者は、リードにたくさんの息を吹き込んでも音量を大きく出せなかったり、音色がこもって単調になったりしてしまう。このため、奏者が意図する音楽表現が制限されてしまうという課題が生じていた。
【００１７】
特許文献１に記載された人工リードは、繊維補強した合成物質によって構成されるため、天然の葦を素材とする従来のリードと比べて音色、吹奏感は劣ってしまう。この理由としては、天然素材の繊維質は細胞壁の空洞が連なった積層構造であるが、人工繊維は直線的な繊維（いわゆる中空の合繊糸）であることが挙げられる。また人工素材では縦に伸びる繊維束は隣り合う繊維束と強く結合するため、人工リードは柔軟に変化しにくく、吹奏による「吹奏感の改善」は天然素材に比べ困難である。また、柔軟性に乏しいリードは演奏中に制御しにくく、音楽表現に変化を与えないため、奏者にとっては「人工リードは使い辛いリード」であった。
【００１８】
本発明はこのような状況に鑑みて成されたものであり、天然素材のリードの特性を変えることで、リードの吹奏感を向上させることを目的とする。
【課題を解決するための手段】
【００１９】
本発明は、リード固定部にリードを固定し、リード固定部に振動を付与するものである。
【発明の効果】
【００２０】
本発明によれば、リード固定部にリードを固定し、リード固定部に振動を付与するため、間接的にリードに振動を加えることが可能となった。この結果、リードの特性が変化する。振動を付与するリードは、シングルリード又はダブルリードのいずれであってもよい。そして、振動を付与され、特性が変わったリードは、奏者の吹奏感に変化が生じるという格別な効果を奏する。
【発明を実施するための最良の形態】
【００２１】
以下、本発明の第１の実施の形態例について、図１〜図７を参照して説明する。本例では、シングルリード、ダブルリード等のリードに対して振動を付与する振動付与装置１に適用した例について説明する。
【００２２】
まず、振動付与装置１の構成例について、図１を参照して説明する。図１は、各部品を組み合わせた振動付与装置１のうち、上部ケース４ａの一部を透視した部分透視図である。
【００２３】
振動付与装置１は、例えばオーボエに用いるダブルリード５を固定するリード固定部１０と、リード固定部１０に振動を伝える駆動部１１と、駆動部１１に電力を供給するＡＣ−ＤＣ（Alternating Current−Direct Current）アダプタ２１とで構成される。振動付与装置１は、リード固定部１０と駆動部１１で構成される振動系と、ＡＣ−ＤＣアダプタ２１とスイッチ７で構成される制御系とに分けることで制御系の故障率を抑えている。
【００２４】
リード固定部１０は、スチロール樹脂を折り曲げ加工して形成される半舟形の部材である。リード固定部１０の厚みは、ダブルリード５を差し込むことが可能な１ｍｍ〜１．５ｍｍ程度としてある。ダブルリード５は、湾曲した２枚のケーン５ａを互いに向かい合わせ、先端部に１ｍｍ程度の小さな隙間を開けた状態で形成される。２枚のケーン５ａは、金属製の円筒にコルクを覆ったチューブ５ｂに絹糸又はナイロン糸等で固定される。ダブルリード５を、矢印Ａ方向からリード固定部１０に差し込むと、リード固定部１０は、ケーン５ａの内側に差し込まれる。向かい合ったケーン５ａは、互いに閉じようとする力が働くため、ダブルリード５は、リード固定部１０を挟み込んだ状態で固定される。
【００２５】
駆動部１１とリード固定部１０の一部を格納し、保護するケースは、直方体状の上部ケース４ａと底面部４ｂとで構成される。上部ケース４ａと底面部４ｂは、互いに固定ツメ等で固定されるため、駆動部１１からの振動が加わっても外れない。なお、上部ケース４ａと底面部４ｂは、ネジ等で固定したり、接着剤等で接着したりしてもよい。底面部４ｂには、振動を吸収する弾性体で形成された脚部６が２箇所に取り付けられる。脚部６は、駆動部１１が生じる振動を吸収する。このため、振動付与装置１が置かれた机等に生じる騒音が抑えられる。上部ケース４ａの上面には、リード固定部１０の断面形状に合わせて透孔２が空けられる。
【００２６】
透孔２の周縁には、ゴム・フエルト等の緩衝材で構成された緩衝部３が形成される。リード固定部１０が透孔２に接触しても、緩衝部３がリード固定部１０の振動を緩和する。このため、上部ケース４ａに伝わる振動によって発生する騒音が抑えられる。
なお、リード固定部１０が弾性樹脂に接触すると、リード固定部１０の振動も多少変動するが、リードに付与する振動量は駆動部１１によって極端に抑制されることはない。
【００２７】
駆動部１１は、上部ケース４ａと底面部４ｂの内部に収納され、外部の衝撃、埃等から保護される。駆動部１１を支持するＬ字型の支持部９は、駆動部１１と底面部４ｂの間に介される。駆動部１１には、回転軸に偏心おもり１２を取り付けた偏心モータが取り付けられる。偏心おもり１２の重心は、回転軸上から外れているため、偏心おもり１２が回転すると、回転軸の回転数に応じて、所定の駆動振動数による振動が生じる。この振動がリード固定部１０に伝わると、リード固定部１０が固定するダブルリード５に対して、ほぼ±Ｙ方向の振動が間接的に付与されることとなる。
【００２８】
ＡＣ−ＤＣアダプタ２１は、家庭用の交流電圧を直流電圧に変換する機能を有する。そして、ＡＣ−ＤＣアダプタ２１は、電力供給を調整する電圧切替えスイッチ２２を備える。電圧切替えスイッチ２２は、駆動部１１に供給する電圧を３種類に切り替えることが可能である。電圧切替えスイッチ２２の切替え操作によって、駆動部１１に供給される電圧を変えると、偏心おもり１２（駆動部１１の回転軸）の回転周波数を変えることができる。そして、偏心おもり１２の回転周波数が変えられると、駆動部１１で生じる駆動振動数が変えられる。
【００２９】
ＡＣ−ＤＣアダプタ２１と、駆動部１１とは、リード線１８によって接続される。電圧切替えスイッチ２２がオン状態の場合、駆動部１１に電力が供給される。駆動部１１のオン・オフは、スイッチ７によって切り替えられる。駆動部１１とＡＣ−ＤＣアダプタ２１は、スイッチ７を介して電気的に接続又は遮断される。
【００３０】
次に、振動付与装置１を構成する各部品を分解した状態の構成例について、図２の斜視図を参照して説明する。
【００３１】
図２は、リード固定部１０からダブルリード５を取り外した上で、上部ケース４ａと底面部４ｂを分解した状態の例を示す。
駆動部１１の底面と、底面部４ｂの上面には、面ファスナ（登録商標）１５が取り付けられる。この面ファスナ１５によって、駆動部１１は底面部４ｂに固定される。また、駆動部１１とリード固定部１０の端面は接着剤等によって固定される。このため、長時間の振動であっても駆動部１１とリード固定部１０は分離しない。
【００３２】
駆動部１１は、支持部９の上底面に設置され、ほぼΩ形状の止め金具１６によって固定される。止め金具１６の両端は、ボルト及びナットで構成される固定部１７によって支持部９に固定される。支持部９と、リード固定部１０と、駆動部１１は、接着剤等の塗布によって、確実に固定される。
面ファスナ１５は、駆動部１１と底面部４ｂの接触面が空気緩衝（エアダンパー）によって遮られるため、振動効率の低下が抑制される。
リード固定部１０の素材には、耐振動性を向上させるため、スチロール樹脂が使用される。スチロール樹脂は軟質材であるため、長時間の振動が付与されても、破断する可能性は低い。
【００３３】
駆動部１１は、２つの端子１９を備える。リード線１８は、二股に分けられた状態で上部ケース４ａの孔部に挿入される。二股に分けられたリード線１８は、端子１９に接続される。
【００３４】
以下に、電圧切替えスイッチ２２で切り替えられる３種類の電圧と、それぞれの電圧によって偏心モータが回転する際の周波数（回転数）、振動モードの対応例について記す。
（１）７．５Ｖ…１３０Ｈｚ（Ｌｏｗ Ｐｏｗｅｒモード）
Ｌｏｗ  Ｐｏｗｅｒでは、吹奏感を微小に変化させたいときに有効である。
（２）９．０Ｖ…１５５Ｈｚ（標準モード）
通常の使用時は、標準モードが用いられる。
（３）１２Ｖ…２００Ｈｚ（Ｈｉｇｈ  Ｐｏｗｅｒモード）
Ｈｉｇｈ  Ｐｏｗｅｒモードでは、振動を加える時間が短縮できる。
【００３５】
次に、リードに振動を付与すると、リードの特性が変化し、吹奏感が向上することについて説明するため、リードの素材である植物細胞の特性について、図３〜図６を参照して説明する。
【００３６】
＜１−１．植物細胞の成長の仕組み＞
図３は、植物細胞の吸水成長の例を示す説明図である。
植物細胞の構造に関する第１の特徴として、その中央部に液胞３１と呼ばれる大きな袋（細胞小器官：オルガネラ）を持つことが挙げられる。液胞は、植物細胞の成長量に大きな変化をもたらす器官である。
図３（ａ）〜図３（ｅ）は、植物細胞３０の成長状態を同じスケールで示す図である。
図３（ａ）に示すように、植物細胞３０は、液胞３１と、核（原形質）３２とで構成される。そして、植物細胞３０が成長するにつれて、図３（ｂ）〜図３（ｅ）に示すように、植物細胞３０は大きくなる。植物細胞３０の成長によって液胞３１の大きさは変わるが、核３２は、植物細胞３０の成長にかかわらず、ほぼ一定の大きさを維持する。
【００３７】
このように、植物細胞３０は、分裂が終了してから成熟するまでに体積を増大させるが、核３２の大きさはほとんど増大しない。この事実より、植物細胞の成長は、液胞３１の体積が増加することによってのみ行われることが分かる。液胞３１が大きくなるのは、細胞外液が液胞３１内に取り込まれるためである。このような液胞３１の作用を、「吸水成長」と呼ぶ。
【００３８】
植物細胞３０は、吸水成長するが吸水の原動力としては、液胞液に溶け込んだ溶質によって生み出される浸透圧が考えられる。浸透圧は溶質濃度に比例して大きくなる。植物細胞３０は、大きな吸水力（浸透圧）を持つが、無秩序に吸水するわけではない。その理由としては、植物細胞３０の外側に大きな機械的強度（耐圧３〜１０気圧程度）を持つ細胞壁が、吸水による無秩序な体積増加を妨げるからである。
【００３９】
図４は、植物細胞の吸水成長を調節する機構の例を示す説明図である。
植物細胞の構造に関する第２の特徴として、細胞壁３３が存在することが挙げられる。植物細胞３０は、外側に、大きな機械的強度を持つ細胞壁３３を形成し、内部に液胞３１と、核３２を含んでいる。植物細胞が水３４をどの程度吸水できるかは、浸透圧の大きさと細胞壁の伸びやすさ（伸展性）のバランスによって決まる。ところで、細胞壁強度によって細胞成長が制限される際、細胞内部には膨圧３６が生じる。膨圧３６は、細胞壁強度によって生じる壁圧３５と等価の圧力である。植物細胞３０の形状は、壁圧３５と膨圧３６がつり合うことで維持される。
【００４０】
＜１−２．細胞成長をもたらす細胞壁の変化＞
図５は、細胞壁３３の構造モデルの例を示す説明図である。
細胞壁３３は、骨格に相当するセルロース繊維４１と、セルロース繊維４１の間に存在するマトリックス４２の二相構造をしている。セルロース繊維４１は、β−１，４−グルカンと呼ばれる多糖の集合体であり、お互いに水素結合を形成する性質があるので、細胞壁３３では数十本の多糖が束となる。一方、マトリックス４２は、１０種類ほどの多糖と糖タンパク質の集合体であり、セルロース繊維４１の間をまばらに埋めている。
【００４１】
セルロース繊維４１は、機械的強度が大きいので、伸張、屈曲が困難である。したがって、細胞壁３３の伸展は、隣り合うセルロース繊維４１の間を引き離そうとするので、細胞壁３３は、図５の左右方向にはほとんど伸展せず、主に上下の矢印Ｂ方向に伸びる。通常の組織でも見られる細胞壁同士の接着には、細胞壁多糖（主にペクチン）が接着剤として作用する。繊維は、この接着作用によって強い結合力を維持するため、安定した植物構造が維持できる。
【００４２】
＜１−３．経年による細胞壁の変化＞
図６は、吸水成長するイネの茎を構成する植物細胞の例を示す説明図である。
イネの茎は一般的な植物の茎構造をしており、ダブルリード、シングルリードの素材である葦とも似ている。植物細胞は分裂によって増殖するが、分裂したばかりの細胞は小さな細胞が密集した状態である。植物細胞は、吸水成長して次第に大きくなり、成長するにしたがって数倍に増大する。
【００４３】
図６（ａ）〜図６（ｃ）は、イネの茎の成長状態を同じスケールで示す図である。
図６（ａ）は、若い状態のイネの植物細胞を拡大視した図である。
図６（ｂ）は、図６（ａ）の状態のイネが給水成長の過程を経た後、このイネの植物細胞を拡大視した図である。
図６（ｃ）は、図６（ｂ）の状態のイネが給水成長の過程を経た後、このイネの植物細胞を拡大視した図である。
図６（ａ）〜図６（ｃ）に示すように、イネの植物細胞は、イネの茎が伸長する矢印Ｃ方向に分裂と膨張を繰り返して成長する。このため、イネの根元付近は細胞が古く疎であり、先端付近は細胞が若く密であると言える。
【００４４】
＜２−１．含水による吹奏感の変化＞
通常、吹奏前のリードは乾燥状態であり、先端の振動部が乾燥により硬くなっているので、音の発振や持続に大きな支障を発生させる。これを解消するため、奏者は吹奏前に水に浸したり舐めたりすることで適度な水分をリードの先端部および中庸部に供給した後に吹奏する。
適度な含水は、乾燥により硬くなっているリードを柔軟な状態へと変化させる潤滑油のような働きを持っている。しかし、過度の含水は吸水した液胞による膨圧を生じるために細胞壁を膨張させ、これによって個々の細胞に壁圧が発生し、互いに作用しあうことでリードの張力が増加する。
張力増加が生じると、音の発振・持続に充分な圧力を得るために吹奏圧を１０〜２０ｈＰａ程度上昇させなければならない。このため、過度に含水したリードは息が詰まったような吹奏感になることが知られている。
【００４５】
このような張力変化による吹奏感の変化は、ダブルリード楽器では特に顕著に発生する現象である。これはダブルリードの構造上における特徴であり、張力増加により互いに組み合わさった２枚のリードの先端部が小さな円弧状へ変化し、先端部の開き幅が大きくなることに起因する。
張力増加のために吹奏しにくくなったリードは、吹奏を持続することで徐々に吹奏圧が低下し、わずかに吹奏感が改善される。これは、先端部の開き幅が吹奏における口唇の閉鎖力により狭められることによってリードがわずかに振動しやすくなる効果である。
【００４６】
＜２−２．リードの軟化と硬直＞
吹奏することでリードは柔軟な状態へと変化する。この変化を「軟化」と称するが、これは維管束組織と表皮の間にある「皮層」とよばれる柔組織が、適度な含水と振動により起こる現象である。軟化は皮層部分にのみ生じ、表皮には生じない。このことから、含水と振動による軟化は皮層部分がより露出している形状のリードに対して大きな効果をあらわす。
【００４７】
リードの含水量を変えずに、大気圧を充分に超過する圧力を一定時間加えた後に吹奏すると、息が詰まるような吹奏感が一時的な変化として現れる。この変化は、加圧によって皮層の弾性力が変化することで、リード先端部の開閉運動に変化がもたらされた結果である。このような変化を「硬直」と称する。
一般的な吹奏圧（１５〜８０ｈＰａ）をリードに繰り返し加えると、少しずつ皮層の硬直が進行する。また、唾液等の粘性を帯びた分泌物が繊維のすき間に入り込んで固形化すると、リードの振動に対する負荷として作用し、リードの開閉運動を鈍化させる要因になる。これらも硬直の一種であり、息が詰まるような吹奏感が生じる要因となる。
【００４８】
＜２−３．振動付与による効果＞
本発明の発明者は、実験によって、リードに外部より強制振動を加えると、繊維の結合を弛緩させることが可能となることを見出した。この結果、息が詰まるような吹奏感が低減する効果を得られることが分かった。この効果は、細胞壁が小さく密集するほど、表層が多く露出するほど大きく現れる。また、植物学的には若い素材ほど、表皮を取り除いた面積が広いほど効果が大きい。
【００４９】
ところで、リードは、奏者が口に含む先端部の表皮が削られた状態である。このように表皮が削られることをスクレープといい、スクレープされた部分をスクレープ面という。スクレープによって、リードの先端部を効率よく振動し、放音できる。ここで、オーボエに使用されるダブルリードについて検討すると、スクレープ面の狭いショートスクレープのリードより、スクレープ面が広いロングスクレープのリードの方が、吹奏感が向上する効果が大きいことが判明した。この効果は、リードを構成する新しい素材や硬直した素材であっても有効である。このため、リード先端部分の植物繊維が、物理的に破壊・損傷を受けない限り、振動付与によって吹奏感が向上するという効果が認められる。
【００５０】
＜２−４．振動付与の部位と効果の違い＞
次に、発明者は、リードに強制振動を付与する部位と効果の違いについて実験を行った。この実験では、強制振動を付与する位置と、得られる効果との関係を明確にするため、シングルリードを用いた。この実験の結果、強制振動を付与する部位を変えると、得られる効果が異なることが判明した。
【００５１】
ここで、シングルリードの形状について図７を参照して説明する。
図７（ａ）は、クラリネット用のシングルリード６１を上面視した図である。
図７（ｂ）は、シングルリード６１を側面視した図である。
図７（ｃ）は、シングルリード６１をマウスピース６６に取り付けて側面視した図である。
シングルリード６１は、長さ方向にほぼ半分の領域まで表皮が削られる。この部分を削り部６２と称する。シングルリード６１の削り部６２以外の領域は、表皮が残されるため、この部分を表皮部６３と称する。
削り部６２が形成された面は、演奏時に奏者の下唇に接触するため下唇接触面６５と称する。一方、下唇接触面６５の裏面は、マウスピース６６に固定される平面であり、マウスピース接触面６４と称する。
【００５２】
実験の結果、リード固定部にマウスピース接触面６４側の削り部６２を密着させた状態で、シングルリード６１を固定し、リード固定部に強制振動を付与すると、重い吹奏感となることが判明した。
一方、リード固定部にマウスピース接触面６４側の表皮部６３を密着させた状態で、シングルリード６１を固定し、リード固定部に強制振動を付与すると、軽い吹奏感となることが判明した。
【００５３】
削り部６２は、吹奏時に振動し、微小な振幅運動を繰り返す。表皮部６３は、マウスピース６６にリガチャー６７で固定される。表皮部６３とマウスピース６６は、密着状態が維持されることで、削り部６２の振動を支える。
削り部６２に直接強制振動を付与すると、皮層に硬直が生じ、リード先端部の開閉運動に変化を生じる。これは、いわゆる「踏み固め」的な圧縮作用の力がリードの繊維におよんで繊維同士が強く結合するため、硬い状態のリードに変化する。この結果、奏者にとって重い吹奏感に変化する。
ここで、地面などを固くする場合、振動ローラなどを転がしたり、道路舗装用機器を用いたりして、ピンポイントに固めることを「踏み固め」と称する。
【００５４】
上述した結果を踏まえ、発明者は、リードに強制振動を付与する条件を変えて実験を行った。この結果、吹奏感に以下のような現象が発生することが判明した。
（１−１）シングルリード６１の表皮部６３を、リード固定部に固定して強制振動を付与した場合、吹奏感は、息が通りやすくなり、吹きやすくなる。このような吹奏感を「軽くなる」と表現する。
（１−２）シングルリード６１の削り部６２を、リード固定部に固定して強制振動を付与した場合、吹奏感は、息が詰まるようになり、吹きにくくなる。このような吹奏感を「重くなる」と表現する。
【００５５】
このような現象は、皮層に対してどのような強制振動を加えるか、という違いによって発生すると考えられる。
（１−１）の場合、振動する削り部６２と、リード固定部の表面が直接触れていない。このため、皮層部分の繊維が強制振動によって弛緩する。この結果、吹奏感は軽くなる。
（１−２）の場合、振動する削り部６２と、リード固定部の表面が直接触れるため、皮層部分の繊維を密着させるように強制振動が付与する。このとき、いわゆる「踏み固め」の作用により、吹奏感は重くなる。
【００５６】
ただし、ダブルリードでは（１−１）の現象しか起こらない。理由としては、以下の２点が挙げられる。
（２−１）リード固定部の幅方向の断面形状は、リードの内径断面の形状と完全に一致せず、繊維同士が強く結合するために必要な接触面を得られない。
（２−２）ダブルリードはリード固定部に挟み込んだ状態で固定されているので、強制振動方向がリードの表裏方向のベクトルをもつ限り、リードの表側に振動力が働く場合は裏側のリードが絶えず離れようとする。このため、リードの内面とリード固定部は、圧縮作用力による変化が生じるための密着状態を維持しない。
ダブルリードで（１−１）の現象しか起こらないのは、（２−１）が最も大きい理由であると考えられる。つまり、ダブルリードでは、強制振動付与部分に表裏面ともに密着させることが可能なリード固定部が存在しない限り、踏み固めによる硬直は発生しない。
【００５７】
以上説明した第１の実施の形態に係る振動付与装置１を用いることによって、リードをリード固定部１０に確実に固定した状態で、リードに強制振動を付与することが可能となった。このため、振動エネルギーは、ほぼ減衰することなくリードに伝わり、リードの素材である葦の繊維同士を分離できる。ところで、リードは吹奏することでリード自体が振動に馴染んできて吹きやすくなることは、よく知られた事実である。この現象は、“楽器を吹く”という行為でリードに振動を加えることにより繊維が弛緩するリードの特性の変化に基づく。このため、リードの素材である葦の繊維同士をあらかじめ弛緩すれば、奏者の息が入りやすくなり、即時的に吹奏感が向上すると言える。また、息が入りやすくなることによって、少ない労力で吹奏できるため音色・音程・音量を制御しやすくする効果が二次的に得られる。このように、従来時間をかけてリードの吹奏感を調整しなければならなかったが、振動付与装置１によって、リードに強制振動を付与することによって、短時間でリードの特性を変え、吹奏感を向上することができるという効果を奏する。
【００５８】
なお、スイッチ７は、振動付与装置１の上部ケース４ａに取り付けてもよいし、ＡＣ−ＤＣアダプタ２１に取り付けてもよい。
また、ＡＣ−ＤＣアダプタ２１に電圧切替えスイッチ２２を設けて、駆動部１１の振動数を調整可能とするが、スイッチ７を多段スイッチに代えてもよい。この多段スイッチは、オン・オフの機能以外に、オン時には内蔵する複数の抵抗を切替えることが可能である。このため、多段スイッチの切替え操作によって、駆動部１１に供給する電力を変化させ、駆動部１１の振動数を変えることができる。このため、操作性が向上するという効果がある。
【００５９】
また、緩衝部３に用いる緩衝部材として、多孔質のゴム、プラスチック、ウレタン、バネ等何ら制約を受けることなく使用可能である。このような緩衝部材を用いることによって、設置台への衝撃や騒音を緩和することができるという効果がある。
【００６０】
次に、本発明の第２の実施の形態例について、図８と図９を参照して説明する。本例においても、シングルリード、ダブルリード等のリードに対して強制振動を付与する振動付与装置１００に適用した例について説明する。
【００６１】
まず、振動付与装置１００の構成例について、図８を参照して説明する。
図８（ａ）は、振動付与装置１００の外観斜視図である。
図８（ｂ）は、振動付与装置１００の分解斜視図である。
振動付与装置１００は、円筒形の本体部１０１と、本体部１０１にリードを固定するリード固定部１０３を備える。リード固定部１０３は、例えばオーボエに用いるダブルリードを固定する。本体部１０１の内部には、リード固定部１０３に振動を伝える駆動部１１０と、駆動部１１０に電力を供給する電源部１１３が格納される。電源部１１３には、例えば、乾電池を用いる。本体部１０１は、電源部１１３を絶縁するため、合成樹脂等の素材を用いて形成される。
【００６２】
本体部１０１の側面には、オン・オフの切替え可能なスイッチ１０２を備える。スイッチ１０２は、シーソースイッチであり、オンボタン１０２ａ、オフボタン１０２ｂを備える。オンボタン１０２ａが押圧されるとオン状態を維持し、駆動部１１０が駆動する。オフボタン１０２ｂが押圧されるとオン状態が解除され、オフ状態となり、駆動部１１０が停止する。
【００６３】
電源部１１３は、本体部１０１の内径より一回り小さな内径である円柱状の電源格納部１１２に格納される。電源格納部１１２の側面には、板バネ１１４が取り付けられる。板バネの一方の端部を第１の接点１１５ａとし、他方の端部を第２の接点１１５ｂとする。
【００６４】
駆動部１１０は、回転軸に偏心おもり１１７を取り付けた偏心モータである。偏心おもり１１７の重心は、回転軸上から外れているため、回転軸の回転周波数に応じて、偏心おもり１１７が回転し、所定の駆動振動数による振動が生じる。この振動がリード固定部１０３に伝わると、リード固定部１０３が固定するリードに対して、ＹＺ平面にほぼ平行な円振動が間接的に付与されることとなる。
【００６５】
駆動部１１０の上面には、金属製の導電板１１６が形成される。導電板１１６は、偏心モータ内部の端子に接続される。また、駆動部１１０の端面には、スプリング状の弾性接点１１１が取り付けられる。弾性接点１１１も、偏心モータ内部の端子に接続される。
【００６６】
本体部１０１の一方の端部には、電源部１１３の抜けを防ぐため、キャップ１０３がはめ込まれる。キャップ１０３の内部には図示しない接点が設けられる。キャップが本体部１０１にはめ込まれると、キャップ１０３の内部接点は、電源部１１３の負極に接触する。さらに、キャップ１０３の内部接点は、板バネ１１４の第２の接点１１５ｂに接触する。こうして、キャップ１０３の内部接点と第２の接点１１５ｂは、電気的に接続される。
そして、板バネ１１４の第１の接点１１５ａは、駆動部１１０の導電板１１６に接触する。一方、弾性接点１１１は、電源格納部１１２に格納された電源部１１３の正電極と電気的に接続される。このような構造により、電源部１１３の電力は、駆動部１１０に供給され、駆動部１１０を駆動することができる。
【００６７】
本体部１０１の他方の端部には、取付け部１０５によってリード固定部１０３が取り付けられる。本例では、取付け部１０５としてネジを用いるが、接着剤等を用いたり、はめ込み式であったりしてもよい。また、本体部１０１とリード固定部１０３を一体成形してもよい。
【００６８】
振動付与装置１００の未使用時には、一方の端部を閉じた円筒形のリード固定部保護カバー１０６を、リード固定部１０３にかぶせる。この他方の端部には、リード固定部保護カバー１０６の側面をＬ字型に切り込んだ切り込み部１０４を形成する。取り付け部１０５がネジである場合に、ネジの頭を切り込み部１０４に沿わせて、リード固定部１０３をリード固定部保護カバー１０６に挿入すると、リード固定部保護カバー１０６を本体部１０１に固定できる。リード固定部保護カバー１０６は、振動付与装置１００が外部から衝撃を受けたり、落下したりした場合に、リード固定部１０３を保護する機能を有する。
【００６９】
さらに、振動付与装置１００は、本体部１０１の直径とほぼ同じ直径とした透明のリード保護カバー１０７を備える。リード保護カバー１０７は、リード固定部１０３にリードを固定した場合に、このリードを保護するための部材である。リード保護カバー１０７の開いた端部の周縁部には、例えば軟質ゴムで接続部１０９が形成される。リード固定部１０３にリードを固定した状態の例については後述する。
【００７０】
次に、振動付与装置１００にダブルリード１２０を取り付けた場合の構成例について、図９を参照して説明する。
リード固定部１０３は、スチロール樹脂を加工して形成される部材である。リード固定部１０３に、ダブルリード１２０が固定される。さらに、透明なリード保護カバー１０７を本体部１０１に固定する。こうすると、振動付与装置１００が外部から衝撃を受けたり、落下したりした場合に、ダブルリード１２０を保護することができる。
【００７１】
以上説明した第２の実施の形態に係る振動付与装置１００を用いることによって、ダブルリード１２０をリード固定部１０３に確実に固定した状態で、振動を付与することが可能となった。このため、振動エネルギーは、ほぼ減衰することなくリードに伝わり、リードの素材である葦の繊維同士を分離できる。このように、従来時間をかけてリードを調整しなければならなかったが、振動付与装置１００を用いてリードに振動を付与するため、短時間でリードの特性を変え、吹奏感を向上することができるという効果を奏する。
【００７２】
また、振動付与装置１００は、リード固定部１０３と駆動部１１０で構成される振動系と、電源部１１３とスイッチ１０２とを一体で構成している。このような構成であるため、携帯性が向上するという効果がある。
【００７３】
また、振動付与装置１００は、リード固定部保護カバー１０６と、リード保護カバー１０７を備える。これらのカバーを取り付けることで、リード固定部１０３や、リード固定部１０３に固定した状態のダブルリード１２０に外部から衝撃が加わることがない。このため、リード固定部１０３、ダブルリード１２０の破損のおそれがなくなるという効果がある。
【００７４】
また、リード保護カバー１０７は、透明であるため、強制振動を付与するダブルリード１２０が複数種類存在していても、振動付与装置１００に取り付けた状態で確認できる。このため、ダブルリード１２０の状態を見ながら、ダブルリード１２０に強制振動を付与することができる。
【００７５】
なお、電源部１１３として用いる乾電池は、二次電池を用いることによって、繰り返し充電使用が可能である。また、振動付与装置１００に充電機能を持たせることで、電源部１１３を本体部１００に格納したまま充電するようにしてもよい。
また、ＡＣ−ＤＣアダプタを用いて、家庭用のコンセントから電源を供給するようにしてもよい。
また、リード固定部保護カバー１０６、リード保護カバー１０７は、半透明、非透明のいずれであってもよい。
【００７６】
次に、本発明の第３の実施の形態例について、図１０を参照して説明する。
本例においても、シングルリード、ダブルリード等のリードに対して強制振動を付与する振動付与装置１４０に適用した例について説明する。振動付与装置１４０は、駆動部１４３に圧電体を用いることを特徴とする。
図１０（ａ）は、振動付与装置１４０の外観斜視図である。
図１０（ｂ）は、振動付与装置１４０の分解斜視図である。
図１０（ｃ）は、圧電セラミックスからなる駆動部１４３の外観斜視図である。
なお、上述した第２の実施の形態例において、図８で既に説明した部材については同一符号を付し、詳細な説明を省略する。
【００７７】
振動付与装置１４０は、電源部１１３と駆動部１４３を格納する本体部１４１を備える。本体部１４１の側面には、スライド式のスイッチ１４２が形成される。スイッチ１４２をスライドすることによって、オン又はオフ状態となる。オン状態では、駆動部１４３が振動し、オフ状態では、駆動部１４３が停止する。
駆動部１４３は、電圧を加えることによって振動を生じる圧電体である。本例では、駆動部１４３として圧電セラミックスを用いている。駆動部１４３の平面部をＸＹ平面に並行にした状態で、駆動部１４３に電圧を加えると±Ｙ方向に駆動部１４３が振動する。
【００７８】
ところで、リード固定部１０３の幅広面に垂直な方向（±Ｙ方向）に振動が加わることで、リード固定部１０３に固定された図示しないリードの幅広面に垂直な方向に振動が加わり、特性を変えることが可能となる。リードに加わる振動ベクトル、すなわち駆動部１４３の振動ベクトルは、±Ｙ方向であることが望ましい。
【００７９】
本例では、リード固定部１０３に対して、±Ｙ方向に振動を加えるため、樹脂製の駆動部固定板１４４に駆動部１４３を取り付けている。駆動部固定板１４４は、本体部１０１の内部に設置される部材であり、リード固定部１０３の幅広面に対して、垂直に振動を加えることができる。この結果、リード固定部１０３に固定されたリードに対して±Ｙ方向に振動を加えることができる。
【００８０】
以上説明した第３の実施の形態に係る振動付与装置１４０を用いることによって、リードをリード固定部１０３に確実に固定した状態で、振動を付与することが可能となった。このため、振動エネルギーは、ほぼ減衰することなくリードに伝わり、結合した繊維を弛緩できる。このように、従来時間をかけてリードを調整しなければならなかったが、振動付与装置１４０を用いてリードに振動を付与するため、短時間でリードの特性を変え、吹奏感を適度に軽く安定化させることで、音楽をより正確に豊かに表現できるという効果を奏する。
【００８１】
また、一般に、圧電体は機械的駆動部分を持たないため、駆動部１４３の故障率を低く抑えることができるという効果がある。また、低電圧で振動するため、電源部１１３の寿命を延ばすことができるという効果がある。また、圧電体は低騒音であるため、リードへの振動付与時に発生する音を気にしなくてよいという効果がある。また、駆動部に圧電体を用いることによって、より小型の振動付与装置を得られるという効果を奏する。
【００８２】
また、振動付与装置１４０は、リード固定部１０３と駆動部１４３で構成される振動系と、電源部１１３と、スイッチ１４４とを一体で構成している。このような構成であるため、携帯性が向上するという効果がある。
【００８３】
なお、電源部１１３として用いる乾電池は、二次電池を用いることによって、繰り返し充電可能である。また、振動付与装置１４０に充電機能を持たせることで、電源部１１３を本体部１４１に格納したまま充電するようにしてもよい。
また、電源用の切替えスイッチを設けることで、乾電池と二次電池を併用してもよい。この場合、本体部１４１の容積を大きくすることで、格納可能な乾電池と二次電池の本数を増やすようにする。
また、ＡＣ−ＤＣアダプタを用いて、家庭用のコンセントから電源を供給するようにしてもよい。
【００８４】
以上説明した第１〜第３の実施形態例に係る振動付与装置を用いると、リード固定部とリード固定部に振動を付与する駆動部を簡素な構成としているが、ダブルリードを固定した状態で、効率的に振動を付与することができる。振動が付与されることによって、ダブルリードの素材である葦の繊維同士の結合力が弛緩したり、リードに付着した粘性物が剥離したりするため、リードの特性が変わり、吹奏感が向上するという効果がある。
【００８５】
また、ダブルリードの形状に合わせたリード固定部には、ダブルリードを構造的負担なく固定することができる。このため、駆動部の振動エネルギーを効率的にダブルリードに伝えられる。このため、ダブルリードに振動を付与する時間が短時間であっても、ダブルリードの特性変化を得られるという効果がある。
【００８６】
なお、リード固定部の材質は、黒壇等の木材、塩化ビニル、ポリプロピレン、プラスチック等の合成樹脂、金属、繊維強化プラスチック等の化学繊維、ファイバ樹脂、炭素樹脂等の様々な材質を用いて成型するようにしてもよい。
【００８７】
また、リード固定部の形状は、リードの形状に合わせて舟形、半舟形、多角形、楕円形、扇形等のうちいずれか１つを選択又は組み合わせて形成してもよい。また、リード固定部は、平板又は周縁を薄くした形状としても良い。このようにリード固定部を形成することで、各リードの振動を付与したい面に合わせて適切にリード固定部を選択し、取り替えることができる。
【００８８】
また、駆動部の振動時間を制御するタイマを備えるようにしてもよい。タイマによって、例えば、リードに対して振動が３分間付与されると自動的にスイッチを切るように制御できる。この場合、常に一定の時間だけリードに振動を付与するため、リードに過剰な振動を付与することがない。
また、駆動部の駆動振動数を制御する際に、タイマを用いてもよい。この場合、例えば１分毎に駆動振動数を低・高・低の順で切替えればよい。
【００８９】
また、単独の振動付与装置とするだけでなく、楽器の音程を合わせるために用いるチューナ、電子式メトロノーム等のアクセサリーと組み合わせて構成してもよい。この場合、１台の筐体に組み合わせて収納してもよいし、振動付与装置のみを取り外せるようにしてもよい。このように複数のアクセサリーと組み合わせることによって、携帯性が向上するという効果を奏する。
【００９０】
なお、上述した第１〜第３の実施の形態例に係る振動付与装置では、振動を付与するリードとして、オーボエ用のダブルリードを用いるようにしたが、その他のリードに対して振動を付与し、リードの特性を変えることが可能である。
【００９１】
図１１は、クラリネット用のシングルリード１２１、ファゴット用のダブルリード１３１に対するリード固定部の形状と、リード固定部への取り付け例を示す図である。
図１１（ａ）は、シングルリード１２１を正面視及び側面視した図である。
図１１（ｂ）は、シングルリードを固定するために用いられるリード固定部１２２を正面視した図である。リード固定部１２２の形状は、ほぼ四角形としてある。リード固定部１２２は、弾性のある樹脂等で形成されたリード支持部１２３を備える。
図１１（ｃ）は、シングルリード１２１をリード固定部１２２に固定した状態の図である。シングルリード１２１は、マウスピース接触面又は下唇接触面をリード固定部に固定するリード支持部１２３によって、固定される。このため、振動付与の途中でシングルリード１２１がリード固定部１２２から脱落することはない。
【００９２】
図１１（ｄ）は、ダブルリード（ファゴット用）１３１を正面視及び側面視した図である。
図１１（ｅ）は、ファゴット用のダブルリードを固定するために用いられるリード固定部１３２を正面視した図である。リード固定部１３２の形状は、ほぼ扇形としてある。
図１１（ｆ）は、ダブルリード１３１をリード固定部１３２に固定した状態の図である。
【００９３】
ファゴット用のダブルリード１３１を固定するリード固定部１３２の素材は、塩化ビニルとする。また、クラリネット用のシングルリード１２１を固定するリード固定部１２２の素材は、ポリプロピレンとする。
【００９４】
また、上述した第１及び第２の実施の形態例に係る振動付与装置が備えるリード固定部を、図１１に示したようなリード固定部１２２，１３２に取り替えることが可能なコネクタ部を取り付けるようにしてもよい。こうすると、リード固定部のみを取り替えるだけで、リードの種類毎に最適な形状のリード固定部にリードを固定し、振動を付与することができる。
【００９５】
以上、本発明の実施の形態例について説明したが、本発明は上述した第１〜第３の実施の形態例に限定されるものではなく、特許請求の範囲に記載した本発明の要旨を逸脱しない限りにおいて、他の変形例、応用例を含むことは言うまでもない。
【図面の簡単な説明】
【００９６】
【図１】本発明の第１の実施の形態例における振動付与装置の構成例を示した斜視図である。
【図２】本発明の第１の実施の形態例における振動付与装置のうち、上部ケースと駆動部と底面部を取り外した場合の構成例を示した斜視図である。
【図３】植物細胞の吸水成長の例を示した説明図である。
【図４】植物細胞の吸水成長における調節機構の例を示した説明図である。
【図５】植物細胞の細胞壁の構造モデルの例を示した説明図である。
【図６】吸水成長するイネの茎を構成する植物細胞の例を示した説明図である。
【図７】シングルリードの例を示した説明図である。
【図８】本発明の第２の実施の形態例における振動付与装置の構成例を示した斜視図である。
【図９】本発明の第２の実施の形態例における振動付与装置にダブルリードとリード保護カバーを取り付けた状態の例を示した斜視図である。
【図１０】本発明の第３の実施の形態例における振動付与装置の構成例を示した斜視図である。
【図１１】本発明の他の実施の形態例における振動付与装置において、クラリネット用のシングルリード、ファゴット用のダブルリードに対するリード固定部の形状と、リード固定部への取り付け例を示した説明図である。
【符号の説明】
【００９７】
１…振動付与装置、２…透孔、３…緩衝部、４ａ…上部ケース、４ｂ…底面部、５…ダブルリード，５ａ…ケーン、５ｂ…チューブ、６…脚部、７…スイッチ、９…支持部、１０…リード固定部、１１…駆動部、１２…偏心おもり、１５…面ファスナ、１６…止め金具、１７…固定部、１８…リード線、１９…端子、２１…ＡＣ−ＤＣアダプタ、２２…電圧切替えスイッチ、３０…植物細胞、３１…液胞、３２…核、３３…細胞壁、３４…水、３５…壁圧、３６…膨圧、４１…セルロース繊維、４２…マトリックス、１００，１４０…振動付与装置
【図１】
0004599616.tif 000002
【図２】
0004599616.tif 000003
【図３】
0004599616.tif 000004
【図４】
0004599616.tif 000005
【図５】
0004599616.tif 000006
【図６】
0004599616.tif 000007
【図７】
0004599616.tif 000008
【図８】
0004599616.tif 000009
【図９】
0004599616.tif 000010
【図１０】
0004599616.tif 000011
【図１１】
0004599616.tif 000012